(57)【要約】【課題】ユーザを保護しつつ、ネットワークを適正に利用することを可能とする入力支援装置等を提供する。【解決手段】入力支援部１００は、単語と、該単語の属性とを対応付けて記憶するデータ記憶部１５０を備える。入力支援部１００は、テキストを形態素に分割する解析部１１０を備える。解析部１１０は、データ記憶部１５０の記憶内容に基づいて、前記テキストを構成する形態素に、使用することが不適切である特定の属性の形態素が含まれているか否かを判別する。入力支援部１００は、解析部１１０が前記テキストに前記特定の形態素が含まれていると判別した場合に、該テキストの使用が不適切である旨のアラートを表示する警告表示部１２０を備える。【選択図】図２
2016194864.tif 000002
【特許請求の範囲】
【請求項１】
単語と、該単語の属性とを対応付けて記憶する単語記憶手段と、
テキストを形態素に分割する分割手段と、
前記単語記憶手段の記憶内容に基づいて、前記テキストを構成する形態素に、使用することが不適切である特定の属性の形態素が含まれているか否かを判別し、含まれていると判別した場合に、該テキストの使用が不適切である旨のアラートを表示する警告表示手段と、
を備える入力支援装置。
【請求項２】
前記入力支援装置は、テキストの使用が不適切である旨の複数のアラートを記憶するアラート記憶手段を備え、
前記警告表示手段は、予め定められた方式で、前記アラート記憶手段に記憶されている複数のアラートから一のアラートを抽出し、該抽出したアラートを表示する、
請求項１に記載の入力支援装置。
【請求項３】
前記単語記憶手段は、さらに、前記単語にポイントを対応付けて記憶し、
前記分割手段により得られた形態素のうち、前記単語記憶手段に記憶されている単語と一致するものに対応付けられているポイントの合計値を求めて表示するポイント表示手段をさらに備える、
請求項１又は２に記載の入力支援装置。
【請求項４】
予め定められた期間内に累積されたポイントを表示するポイント累積値表示手段と、
前記ポイント表示手段により求められた合計値により、前記ポイント累積値表示手段が表示する累積されたポイントを更新する更新手段と、
を備える請求項３に記載の入力支援装置。
【請求項５】
前記ポイントは、単語の使用を推奨するポイントと、単語の使用を避けることを推奨するポイントとを含み、
使用を推奨するポイントと使用を避けることを推奨するポイントは異なる符号を有する、
請求項３又は４に記載の入力支援装置。
【請求項６】
ポイントとキャラクタ画像を対応付けて記憶する画像記憶手段を備え、
前記ポイント表示手段又はポイント累積値表示手段は、前記画像記憶手段を参照して、表示するポイントに対応付けられたキャラクタ画像を表示する、
請求項３乃至５のいずれか一項に記載の入力支援装置。
【請求項７】
前記警告表示手段は、前記特定の属性の形態素の数に応じて、前記表示するアラートの表示態様を変更する、
請求項１乃至６のいずれか一項に記載の入力支援装置。
【請求項８】
前記入力支援装置は、テキストの使用が不適切である旨の複数のアラートを記憶するアラート記憶手段を備え、
前記アラート記憶手段は、さらに、前記テキストに含まれる前記特定の属性の形態素の数に対応付けてアラートを複数記憶し、
前記警告表示手段は、前記アラート記憶手段を参照し、前記テキストに含まれる前記特定の属性の形態素の数に応じて、前記表示するアラートを変更する、
請求項７に記載の入力支援装置。
【請求項９】
使用を避けるべき単語を記憶し、
テキストを形態素に分割し、
前記記憶する内容に基づいて、前記テキストを構成する形態素に、使用することが不適切である形態素が含まれていることを判別し、前記テキストの使用が不適切である旨のアラートを表示する、
ことを特徴とする入力支援方法。
【請求項１０】
コンピュータを、
単語とその属性とを対応付けて記憶する単語記憶手段、
テキストを形態素に分割する分割手段、
前記単語記憶手段の記憶内容に基づいて、前記テキストを構成する形態素に、使用することが不適切である特定の属性の形態素が含まれていることを判別し、前記テキストの使用が不適切である旨のアラートを表示する警告表示手段、
として機能させるプログラム。
【発明の詳細な説明】
【技術分野】
【０００１】
本発明は、入力支援装置、入力支援方法及びプログラムに関する。
【背景技術】
【０００２】
スマートフォン等の携帯端末を所持する子供が増加している。このため、子供が、公序良俗に反する有害情報を提供するサイトを利用したり、いわゆるＳＮＳ（Ｓｏｃｉａｌ  Ｎｅｔｗｏｒｋｉｎｇ  Ｓｅｒｖｉｃｅ）いじめ等の友人関係のトラブルに巻き込まれるといった問題が発生している。この種の問題の発生を予防するために、携帯端末の利用の一部を制限するシステムが提案されている。
【０００３】
例えば、特許文献１には、有害な情報を提供するＷＥＢサイトを事前に登録しておき、当該ＷＥＢサイトにアクセスがあった場合に、そのアクセスを制限するシステムが開示されている。
【先行技術文献】
【特許文献】
【０００４】
【特許文献１】特開２００９−２６０４８３号公報
【発明の概要】
【発明が解決しようとする課題】
【０００５】
しかしながら、有害サイトへのアクセスを制限するだけでは、ユーザがネットワークの利用に関して自主的に考え判断する機会を奪ってしまうことになり、結果として、ネットワークの適正な使用について学習する機会を奪うことになる。また、有害サイトへのアクセスを制限するだけでは、個人間の通信に伴うトラブルを防ぐことができない。
【０００６】
本発明は、このような実情に鑑みてなされたものであり、ユーザを保護しつつ、ネットワークを適正に利用することを可能とする入力支援装置等を提供することを目的とする。
【課題を解決するための手段】
【０００７】
上記目的を達成するため、本発明の第１の観点に係る入力支援装置は、
単語と、該単語の属性とを対応付けて記憶する単語記憶手段と、
テキストを形態素に分割する分割手段と、
前記単語記憶手段の記憶内容に基づいて、前記テキストを構成する形態素に、使用することが不適切である特定の属性の形態素が含まれているか否かを判別し、含まれていると判別した場合に、該テキストの使用が不適切である旨のアラートを表示する警告表示手段と、
を備える。
【０００８】
例えば、前記入力支援装置は、テキストの使用が不適切である旨の複数のアラートを記憶するアラート記憶手段を備え、前記警告表示手段は、予め定められた方式で、前記アラート記憶手段に記憶されている複数のアラートから一のアラートを抽出し、該抽出したアラートを表示する。
【０００９】
例えば、前記単語記憶手段は、さらに、前記単語にポイントを対応付けて記憶し、前記分割手段により得られた形態素のうち、前記単語記憶手段に記憶されている単語と一致するものに対応付けられているポイントの合計値を求めて表示するポイント表示手段をさらに備える。
【００１０】
予め定められた期間内に累積されたポイントを表示するポイント累積値表示手段と、前記ポイント表示手段により求められた合計値により、前記ポイント累積値表示手段が表示する累積されたポイントを更新する更新手段と、を備えてもよい。
【００１１】
例えば、前記ポイントは、単語の使用を推奨するポイントと、単語の使用を避けることを推奨するポイントとを含み、使用を推奨するポイントと使用を避けることを推奨するポイントは異なる符号を有する。
【００１２】
例えば、ポイントとキャラクタ画像を対応付けて記憶する画像記憶手段を備え、前記ポイント表示手段又はポイント累積値表示手段は、前記画像記憶手段を参照して、表示するポイントに対応付けられたキャラクタ画像を表示する。
【００１３】
前記警告表示手段は、例えば、前記特定の属性の形態素の数に応じて、前記表示するアラートの表示態様を変更する。
【００１４】
例えば、前記アラート記憶手段は、さらに、前記テキストに含まれる前記特定の属性の形態素の数に対応付けてアラートを複数記憶し、前記警告表示手段は、前記アラート記憶手段を参照し、前記テキストに含まれる前記特定の属性の形態素の数に応じて、前記表示するアラートを変更する。
【００１５】
上記目的を達成するため、本発明の第２の観点に係る入力支援方法は、
使用を避けるべき単語を記憶し、
テキストを形態素に分割し、
前記記憶する内容に基づいて、前記テキストを構成する形態素に、使用することが不適切である形態素が含まれていることを判別し、前記テキストの使用が不適切である旨のアラートを表示する、
ことを特徴とする。
【００１６】
上記目的を達成するため、本発明の第３の観点に係るプログラムは、
コンピュータを、
単語とその属性とを対応付けて記憶する単語記憶手段、
テキストを形態素に分割する分割手段、
前記単語記憶手段の記憶内容に基づいて、前記テキストを構成する形態素に、使用することが不適切である特定の属性の形態素が含まれていることを判別し、前記テキストの使用が不適切である旨のアラートを表示する警告表示手段、
として機能させる。
【発明の効果】
【００１７】
本発明によれば、不適切な形態素が含まれているときに、アラートを表示するので、ネットワーク上でテキストを適正に使用する動機付けを提供することができる。これにより、ユーザを保護し、ネットワークを適正に利用する一助とすることができる。
【図面の簡単な説明】
【００１８】
【図１】本発明の実施の形態に係る携帯端末装置のハードウェア構成図である。
【図２】本発明の実施の形態に係る入力支援装置のソフトウェア構成図である。
【図３】テキスト送信前の表示画面の例を示す図である。
【図４】単語テーブルの構成例を示す図である。
【図５】アラートテーブルの構成例を示す図である。
【図６】解析処理を示すフローチャートである。
【図７】解析部によるテキストの形態素解析結果の例を示す図である。
【図８】警告表示処理を示すフローチャートである。
【図９】送信ボタン押下後の表示画面の一例を示す図である。
【図１０】ポイント更新処理を示すフローチャートである。
【図１１】送信ボタン押下後の表示画面の一例を示す図である。
【発明を実施するための形態】
【００１９】
以下、本発明の実施の形態に係る入力支援装置を、図面を参照して説明する。
【００２０】
本実施の形態に係る入力支援装置は、スマートフォン、フィーチャーフォン、タブレット端末等の携帯端末装置に採用される装置であり、通信時に丁寧な表現の使用をユーザに促すことにより、ネットワークの使用について学習する機会を提供する装置である。
【００２１】
本実施の形態に係る携帯端末装置１０は、物理的には、図１に示すように、制御部１１と、記憶部１２と、操作部１３と、表示部１４と、通信部１５と、を備えている。これら構成部は、バス１６を介して接続されている。
【００２２】
制御部１１は、プロセッサ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等から構成される。プロセッサは、ＲＡＭを作業領域として記憶部１２に記憶されている各種プログラムを実行することにより、後述する入力処理、入力支援処理、送信処理等を実行する。
【００２３】
記憶部１２は、例えば、フラッシュメモリ等の不揮発性の半導体メモリ等から構成され、制御部１１が実行する入力プログラム、通信プログラム等のプログラム、制御部１１の処理に用いられる種々のデータを記憶する。
【００２４】
操作部１３は、タッチパネル、キーボード等の入力デバイスを含んで構成され、ユーザの入力操作を受け付け、受け付けた入力操作に対応する信号を制御部１１に送出する。
【００２５】
表示部１４は、例えば、ＬＣＤ（Ｌｉｑｕｉｄ  Ｃｒｙｓｔａｌ  Ｄｉｓｐｌａｙ）等の表示デバイスを含んで構成され、制御部１１の制御の下、種々の情報を表示する。なお、操作部１３と表示部１４は、操作受付機能と表示機能とを備えるタッチパネルから構成されてもよい。
【００２６】
通信部１５は、ネットワークＮを介して外部機器（不図示）と通信するための通信インタフェース回路等から構成され、外部機器から受信した情報を制御部１１に送出し、また、テキスト情報等を外部機器に送信する。
【００２７】
次に、携帯端末装置１０の入力支援部１００（入力支援装置）の構成を説明する。
入力支援部１００は、上述したハードウェアにより構成され、機能的には、図２に示すように、解析部１１０（分割手段）と、警告表示部１２０と、表示部１４にポイントを表示するポイント表示部１３０と、表示されているポイントの更新を指示するポイント更新部１４０と、これら構成部が行う処理に用いられるデータを有するデータ記憶部１５０と、を有する。
【００２８】
解析部１１０は、主として制御部１１によって実現され、ユーザが操作部１３を操作して入力した送信対象のテキストを形態素に区切り、図４を参照して後述する単語テーブル１５１（単語記憶手段）を参照して、各形態素に、各形態素が有する意味に基づく属性（カテゴリ）とポイントとを付加する。
【００２９】
例えば、解析部１１０は、形態素が「ばか」である場合に、単語テーブル１５１の内容に従って、その形態素に、ネガティブな意味を有することを示す属性「ネガティブ」を付加し、ポイント「−１」を付加する。
【００３０】
警告表示部１２０は、主として制御部１１によって実現される。警告表示部１２０は、送信対象のテキストに、使用をすることが不適切である属性が付加された形態素が含まれているか否かを判別する。警告表示部１２０は、判別結果に応じて、図５に示すアラートテーブル（アラート記憶手段）１５２の内容に従って、表示部１４にアラート（警告、警告メッセージ）を表示する。
【００３１】
例えば、送信対象のテキストに、「ネガティブ」の属性を有する形態素が含まれている場合、警告表示部１２０は、アラートテーブル１５２を参照して、属性「ネガティブ」に対応するアラートの１つを選択し、表示部１４に選択したアラートを表示する。
【００３２】
ポイント表示部１３０（ポイント累積値表示手段）は、主として制御部１１によって実現される。ポイント表示部１３０は、所定の期間（例えば直近１ヶ月間）に通信部１５から送信されたテキストに付加されたポイントを累積して、表示部１４に表示させる。例えば、ポイント表示部１３０は、図３に示すように、表示部１４で表示されるポイント表示エリアＰに、累積ポイントを表示させる。また、ポイント表示部１３０は、表示部１４に表示させる累積ポイントを、例えば、直近１ヶ月の累積値となるように日々更新する。
【００３３】
ポイント更新部１４０（更新手段）は、主として制御部１１によって実現される。ポイント更新部１４０は、送信対象のテキストの付加情報を解析し、付加されたポイントの合計値を算出する。ポイント更新部１４０は、通信部１５からテキストが送信されると、今回送信したテキストに付加されたポイントの合計値をポイント表示部１３０に通知し、表示部１４に表示する直近一ヶ月の累算ポイントを更新させる。
【００３４】
データ記憶部１５０は、記憶部１２によって実現され、単語とその属性等とポイントとを対応付けて記憶した単語テーブル１５１と、形態素の属性と表示させるアラートを対応付けて記憶するアラートテーブル１５２と、を格納する。これらのテーブルは、例えば、ＸＭＬ（Ｅｘｔｅｎｓｉｂｌｅ  Ｍａｒｋｕｐ  Ｌａｎｇｕａｇｅ）形式で記述されるデータベースである。
【００３５】
単語テーブル１５１は、図４に示すように、特定の単語と、その単語の属性と、所定のポイントと、を対応付けて格納する。属性の設定は、任意であるが、ここでは、表現が積極的である「ポジティブ」、表現が否定的である「ネガティブ」、表現が猥雑である「アダルト」などの属性が設定されている。また、ポイントは、その表現を使用することの推奨度を表し、正の値は使用を推奨し、負の値は使用を避けるべきであることを示し、属性「ポジティブ」には正のポイントが、「ネガティブ」と「アダルト」には負のポイントが設定されている。また、同一属性でも形態素によりポイントが異なり、表現の程度が大きくなるに従って、ポイントの絶対値が高くなるように設定されている。
例えば、単語番号が「２」である「しね」には、属性番号が「１」の属性「ネガティブ」と、負の最大ポイント「−３」と、が対応付けられている。また、単語番号が「３」である「おめでとう」には、属性番号が「３」の属性「ポジティブ」と、正の最小ポイント「＋１」と、が対応付けられている。さらに、単語番号が「４」である「出会い系」には、属性番号が「２」の属性「アダルト」と、ポイント「−２」と、が対応付けられている。
【００３６】
アラートテーブル１５２には、図５に示すように、使用することが不適切である単語の属性と、その単語を含むテキストが送信された際に表示部１４が表示するアラートの複数の候補と、が対応付けられて記憶されている。このアラートは、テキストを送信することが不適切であり、改善することが望ましい旨を示唆するものである。例えば、属性「ネガティブ」には、「相手に失礼じゃないかな？」「そんなこと言われたら悲しい〜」等のアラートが対応付けられている。また、属性「アダルト」には、「誰かに見られたらはずかしい〜」「詐欺サイトとか気をつけないと…」等のアラートが対応付けられている。
【００３７】
次に、図３の例に示すように、ユーザ「けいた」がＳＮＳアプリケーション上で、友人「ふみちゃん」からの「今度漫画貸してよ！」というメッセージに対し、「貸すわけないし  ばかじゃん」と入力し、送信ボタンＳＢを押下した場合を例に、図６−図１０を参照して、上記構成を有する入力支援部１００の動作を説明する。
【００３８】
＜解析処理＞
ユーザが、操作部１３の送信ボタンＳＢの押下すると、解析部１１０は、図６に示す解析処理をスタートする。
【００３９】
解析部１１０は、送信対象のテキストを形態素解析する（ステップＳ１００）。図３の例では、解析部１１０は、テキスト「貸すわけないし  ばかじゃん」を形態素「貸す」「わけ」「ない」「し」「ばか」「じゃん」に区分する。
【００４０】
解析部１１０は、単語テーブル１５１を参照して、区切った形態素が登録されているか否かを判別する。判別した結果、単語テーブル１５１に登録されている形態素がある場合には、その形態素に、登録されている属性番号とポイントとを付加する。この例では、形態素「ばか」が単語テーブル１５１に登録されているので、解析部１１０は、形態素「ばか」に、登録されている属性番号「１」とポイント「−１」とを付加する。一方、単語テーブル１５１に登録されていない形態素には、属性番号「０」とポイント「０」とを付加する。
【００４１】
解析部１１０は、図７の例に示すように、各形態素に付加した属性番号とポイント番号とを示す付加情報を生成する。その後、解析部１１０は、図６に示すように、警告表示処理（ステップＳ２００）とポイント更新処理（ステップＳ３００）とを起動する。以下、それぞれの処理の詳細について説明する。
【００４２】
＜警告表示処理＞
警告表示処理（ステップＳ２００）が起動されると、警告表示部１２０は、図８に示すように、まず、送信対象のテキストに、使用することが不適切な形態素が含まれるか否かを判別する（ステップＳ２０１）。具体的には、警告表示部１２０は、解析部１１０が生成した付加情報を解析し、属性番号が「１」又は「２」でポイントが負の値の形態素が含まれるか否かを判別する。図７に示す付加情報の例では、形態素番号「５」の形態素「ばか」の属性番号が「１」でポイントが「−１」であるので、「含まれている」と判断し（ステップＳ２０１でＹｅｓ）、制御はステップＳ２０２に移る。
【００４３】
続いて、警告表示部１２０は、表示部１４にアラートを表示する（ステップＳ２０２）。より詳細には、警告表示部１２０は、アラートテーブル１５２を参照して、使用することが不適切な形態素の属性番号に対応付けられている複数のアラートから一のアラートを選択する。例えば、警告表示部１２０は、乱数を発生させ、その属性に対応付けられているアラートのアラート番号から一のアラート番号を抽出することにより、アラートを選択する。ここでは、警告表示部１２０が、属性番号「１」に対応する４つのアラートの中から、アラート番号「３」の「いい言葉ではないけど、本当に送る？」を選択したとする。その後、警告表示部１２０は、選択したアラートを表示部１４に表示する。これにより、表示部１４は、例えば、図９に例示するように、選択されたアラートを表示するとともに、テキストを送信するか否かをユーザに確認するためのダイアログボックスを表示する。
【００４４】
警告表示部１２０は、アラートを表示部１４に表示すると、操作部１３からユーザによるテキスト送信に関する指示を取得したか否かを判定する（ステップＳ２０３）。図９に示す例では、ユーザが「送る」、「送らない」のいずれかを押下操作すると、送信に関する指示がされたと判定される。指示を取得するまで、警告表示処理は待機状態となる（ステップＳ２０３でＮｏ）。
【００４５】
指示を取得すると（ステップＳ２０３でＹｅｓ）、警告表示部１２０は、その指示が送信指示であるか否かを判定する（ステップＳ２０４）。例えば、図９に示す例では、ユーザが「送る」の押下操作をした場合に、指示が送信指示であると判定される（ステップＳ２０４でＹｅｓ）。
【００４６】
ユーザからの指示が送信指示であれば、警告表示部１２０は、テキストを送信する指示を通信部１５に送出する（ステップＳ２０５）。図３、図９に示す例では、ＳＮＳアプリケーション上で「ふみちゃん」にテキスト「貸すわけないし  ばかじゃん」が送信される。その後、警告表示処理が終了する。一方、ステップＳ２０４で、ユーザが「送らない」の押下操作をした場合は（ステップＳ２０４でＮｏ）、テキストを送信する指示が通信部１５に送出されることなく、警告表示処理が終了する。この場合、ユーザは、必要に応じて、操作部１３を操作して、送信対象テキストを編集し、再度、送信ボタンＳＢを操作する。
【００４７】
なお、ステップＳ２０１で、送信対象のテキストに不適切な形態素が含まれていないと判別された場合は（ステップＳ２０１でＮｏ）、処理はステップＳ２０５に移行する。
【００４８】
＜ポイント更新処理＞
ポイント更新部１４０は、ポイント更新処理（ステップＳ３００）が起動されると、図１０に示すように、付加情報を解析して、送信対象のテキストに含まれる形態素に付加されているポイントの合計を算出する（ステップＳ３０１）。図７に示す付加情報の例では、それぞれの形態素に付加されているポイント「０」、「０」、「０」、「０」、「−１」、「０」が合算され、ポイントの合計が「−１」と算出される。
【００４９】
次に、ポイント更新部１４０は、通信部１５を監視し、テキストが実際に送信されたか否かを判定する（ステップＳ３０２）。実際に送信されたと判定された場合（ステップＳ３０２でＹｅｓ）、ポイント更新部１４０は、算出したポイントの合計をポイント表示部１３０に通知し、表示部１４に表示されているポイントを更新させる（ステップＳ３０３）。図３に示す例では、ポイント表示エリアＰに表示されているポイント「３２」はポイントの合計「−１」が加算され、「３１」に更新される。その後、ポイント更新処理が終了する。
【００５０】
一方、ステップＳ３０２で、テキストが送信されないと判別された場合は、（ステップＳ３０２でＮｏ）、所定時間が経過するまで（ステップＳ３０４でＮｏ）、ポイント更新処理は待機状態となる。所定時間が経過した場合は（ステップＳ３０４でＹｅｓ）、算出されたポイントの合計「−１」を示す情報が破棄される（ステップＳ３０５）。その後、ポイント更新処理が終了する。
【００５１】
以上説明したように、本実施の形態では、警告表示部１２０が、ユーザが送信指示をしたテキストに、使用することが不適切な形態素が含まれると判定した場合に、テキストを送信することが不適切である旨のアラートを表示部１４に表示させる構成とした。これにより、不適切な表現を含むテキストを送信しようとしたユーザに、適切な操作を促し、操作をサポートすることができる。
【００５２】
また、不適切な形態素（表現）の内容に応じて、アラートを選択するように構成したので、内容に応じて適切なアラート、アドバイス、指導が可能となる。また、送信を単に禁止するものではないため、ユーザの自主的な判断を尊重した処理が可能となる。
【００５３】
また、本実施の形態では、アラートテーブル１５２で、使用することが不適切である単語の属性と、その単語を含むテキストが送信された際に表示部１４が表示するアラートの複数の候補と、を対応付け記憶し、警告表示部１２０が、その複数の候補から、ランダムに一のアラートを選択する構成とした。これにより、より人間性のある受け入れやすい注意を促すことができる。
【００５４】
さらに、本実施の形態では、ポイント更新部１４０が、ポイント表示部１３０により表示部１４に表示された所定期間内の累積ポイントを、実際に送信されたテキストのポイントに応じて更新する構成とした。これにより、不適切な表現を含むテキストの送信を抑制し、奨励される表現を用いることを心がけるためのモチベーションを高めることができる。
【００５５】
なお、本発明は、上記実施の形態に限定されず、本発明の要旨を逸脱しない範囲での種々の変更はもちろん可能である。
【００５６】
（変形例）
本実施の形態では、ポイント表示部１３０が累積ポイントを表示部１４に表示させると説明したが、図３の例に示すように、ポイント表示エリアＰに表示される累積ポイントとともに、キャラクタの画像Ｃを表示させてもよい。また、キャラクタの画像を、記憶部１２（画像記憶手段）に複数記憶させ、ポイント表示エリアＰに表示されるポイントに応じて、異なるキャラクタを表示するようにしてもよい。
【００５７】
例えば、ポイントが「１００」以上のときに、子供に人気のあるヒーローのキャラクタ画像を表示させ、「−１００」以下のときに、子供に嫌悪感を抱かせるような悪役のキャラクタ画像を表示させる。これにより、上述したポイント表示による効果を促進することができる。
【００５８】
また、ポイント表示部１３０が、そのテキストを構成する形態素に付加されたポイントの合計値を算出し、表示部１４に表示させるように構成してもよい。この場合、テキストが送信される度に、そのテキストを構成する形態素に付加されたポイントの合計値に応じて、キャラクタの画像を表示部１４に表示させるように構成してもよい。
【００５９】
また、本実施の形態では、警告表示部１２０が、ユーザが送信指示をしたテキストに、使用することが不適切な形態素が含まれると判定した場合に、テキストを送信することが不適切である旨のアラートを表示部１４に表示させると説明したが、１回の送信指示でテキストに含まれる不適切な形態素の数により、アラートの表示態様を変更してもよい。
【００６０】
例えば、アラートテーブル１５２に、属性毎に、不適切な形態素の数に応じたアラートを記憶させ、テキストに３以上の不適切な形態素が含まれていた場合に、語調が厳しいアラートを表示する等設計してもよい。また例えば、テキストに複数の不適切な形態素が含まれていた場合に、図１１に示すように、表示するダイアログボックスの大きさを変更してもよい。これにより、不適切な形態素が複数含まれているテキストの送信に対して、より厳格に適切な操作を促すことができる。
【００６１】
さらに、本実施の形態では、データ記憶部１５０に、単語テーブル１５１とアラートテーブル１５２とを格納すると説明したが、これらのテーブルは、外部サーバからのプッシュ送信等により随時更新されてもよい。この場合、入力支援部１００は、主として制御部１１によって実現される機能部であるデータ更新部を備える。データ更新部は、通信部１５が外部サーバから受信した更新データを、単語テーブル１５１又はアラートテーブル１５２に上書きすることにより、これらのテーブルを更新する。
【００６２】
これにより、単語テーブル１５１に時流に即した新しい単語に関する情報を記憶させることができ、警告表示部１２０、ポイント表示部１３０、ポイント更新部１４０は、新しい単語を処理の対象に含めて、上述した各処理を実行することができる。また、アラートテーブル１５２に記憶されているアラートを更新することができ、より人間性のある受け入れやすい注意を促すことができる。
【００６３】
また、本実施の形態では、ユーザがテキストの送信ボタンＳＢを押下すると各処理が起動すると説明したが、各処理が起動するタイミングはこれに限られない。例えば、解析部１１０が、ユーザによるテキストの入力中に、入力されているテキストを解析するように構成してもよい。
【００６４】
以上の説明では、理解を容易にするため、単純に「単語」と「属性」、「ポイント」とを対応付けたが、誤解析を防止するため、「単語」と「品詞」、「属性」、「ポイント」とを対応付ける等してもよい。
また、上記実施の形態では「属性」として、「ポジティブ」、「ネガティブ」、「アダルト」を設定したが、その形態素の使用を推奨する「推奨」と、使用を推奨しない「非推奨」という属性でもよい。その他、単語テーブル１５１とアラートテーブル１５２の設計手法は任意である。例えば、反社会的な言葉、「爆破」、「殺」、「麻薬」等を非推奨に設定する等してもよい。
【００６５】
上記実施の形態では、個人対個人の通信を行う際に、入力テキストの「適切さ」に基づいて、利用者にアドバイスを提示する例を示したが、この発明は、これに限定されない。例えば、検索エンジンに、「爆破」、「殺」、「麻薬」、「出会い系」等の反社会的表現や児童生徒にふさわしくない単語・形態素が入力されたときに、それを検出し、アラートを表示するようにしてもよい。
【００６６】
また、有害な情報（例えば、反社会的情報、公序良俗に反する情報、児童・生徒にふさわしくない内容の情報）を提供するサイトのＵＲＬと、提供される情報の属性とをＵＲＬテーブルに対応付けておき、ＵＲＬテーブルに登録されたＵＲＬにアクセスする際に、属性に応じたアラートを表示することにより、不適切なサイトへのアクセスを防止するようにしてもよい。
【００６７】
操作部１３を操作して入力されたテキストを例に発明を説明したが、処理対象（解析及びアラート対象）のテキストは、外部より通信で受信して入力されたものでも、既存のテキストの全部又は一部をコピー・ペーストして入力されたものでもよい。
【００６８】
本実施の形態では、入力支援装置は、携帯端末装置に採用される装置であると説明したが、ＰＣ等他の装置に採用することも可能である。
【符号の説明】
【００６９】
１０  携帯端末装置
１１  制御部
１２  記憶部
１３  操作部
１４  表示部
１５  通信部
１６  バス
１００  入力支援部
１１０  解析部
１２０  警告表示部
１３０  ポイント表示部
１４０  ポイント更新部
１５０  データ記憶部
１５１  単語テーブル
１５２  アラートテーブル
Ｃ  キャラクタ画像
Ｎ  ネットワーク
Ｐ  ポイント表示エリア
ＳＢ  送信ボタン
ＴＢ  テキストボックス
ＴＳ  トーク画面
【図１】
2016194864.tif 000003
【図２】
2016194864.tif 000004
【図３】
2016194864.tif 000005
【図４】
2016194864.tif 000006
【図５】
2016194864.tif 000007
【図６】
2016194864.tif 000008
【図７】
2016194864.tif 000009
【図８】
2016194864.tif 000010
【図９】
2016194864.tif 000011
【図１０】
2016194864.tif 000012
【図１１】
2016194864.tif 000013